【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
ＯＬＥＤインターフェースであって、該インターフェースは、
パネル層と、
アノード電極層と、
カソード電極層と、
該アノード電極層と該カソード電極層との間に配列された有機発光層構造と、
解釈回路と
を備え、
該解釈回路は、少なくとも該アノード電極層および／または該カソード電極層との相互作用において、ユーザが該ＯＬＥＤインターフェースもしくはそれを被覆するパネル要素にタッチすることなしに、またはタッチする前に、該パネル層の前方の領域の中の該ユーザの指または手を検出するためのセンサシステムが実現されるように、設計および接続される、ＯＬＥＤインターフェース。
【請求項２】
前記位置検出は、電圧レベルの解釈によって実施され、これらの電圧レベルは、前記電極層（Ａ、Ｋ）のうちの一方とセンサ電極デバイス（ＥＬ）との間で測定されることを特徴とする、請求項１に記載のＯＬＥＤインターフェース。
【請求項３】
前記位置検出は、電圧レベルの解釈によって実施され、これらの電圧レベルは、前記アノード電極層（Ａ）とセンサ電極デバイス（ＥＬ、２）との間で測定されることを特徴とする、請求項１に記載のＯＬＥＤインターフェース。
【請求項４】
ＯＬＥＤインターフェースであって、該インターフェースは、
パネル層（１）と、
ＯＬＥＤ層構造（Ｏ）と、
該パネル層（１）に接続された透明電極層であって、この電極層は、複数の電極セグメント（２）に細分割され、これらの電極セグメント（２）は、これにより、セグメント行およびセグメント列を備えるセグメントアレイを形成する、透明電極層と、
ユーザの指の非接触位置または移動検出が、該パネル層の前方の領域の中において実施され得るように形成された解釈回路（１０）と
を備え、
該非接触位置または移動検出は、該セグメントアレイのいくつかの電極セグメント（２）の、行または列の電極セグメントグループ（Ｚ１...Ｚ５；Ｓ１...Ｓ９）への統合を使用して実施される、ＯＬＥＤインターフェース。
【請求項５】
前記解釈回路（１０）は、接触検出が前記電極層の前記電極セグメント（２）を介して実施されている回路状態を取得し得るように形成されることを特徴とする、請求項４に記載のＯＬＥＤインターフェース。
【請求項６】
接触時の位置検出のための前記回路状態と接触を伴わない位置または移動検出のためのスイッチング状態との間の切替が、マルチプレクサデバイスによって実施されることを特徴とする、請求項５に記載のＯＬＥＤインターフェース。
【請求項７】
接触を伴わない位置または移動検出のための動作状態を取得するためのサイクルの部分は、接触が検出される限り、ゼロに設定されるか、または低減されることを特徴とする、請求項６に記載のＯＬＥＤインターフェース。
【請求項８】
位置検出のための前記動作状態を取得するための前記サイクルの部分は、接触が検出されない限り、前記インターフェースへの接触時に低減されることを特徴とする、請求項６または７に記載のＯＬＥＤインターフェース。
【請求項９】
最初に、接触を伴わない位置または移動検出のために意図された前記スイッチング状態の状況において、粗い接近検出が実施され、十分に顕著な接近状態の検出時にのみ、より感度の高い位置検出が実施されることを特徴とする、請求項１〜８のうちのいずれか一項に記載のＯＬＥＤインターフェース。
【請求項１０】
接触を伴わない位置または移動検出のために意図された前記スイッチング状態の状況において、可変の電極セグメントグループが、センサ電極として作用することを特徴とする、請求項１〜９のうちのいずれか一項に記載のＯＬＥＤインターフェース。
【請求項１１】
接触を伴わない位置または移動検出のために意図された前記スイッチング状態の状況において、Ｙ位置を決定するために、上側水平方向セグメント鎖を構成する電極セグメントグループ（Ｚ１）がアクティブ化され、および／または接触を伴わない位置または移動検出のために意図された該スイッチング状態の状況において、Ｙ位置を決定するために、下側水平方向セグメント鎖を構成する電極セグメントグループ（Ｚ５）がアクティブ化されることを特徴とする、請求項１〜１０のうちのいずれか一項に記載のＯＬＥＤインターフェース。
【請求項１２】
接触を伴わない位置または移動検出のために意図された前記スイッチング状態の状況において、Ｘ位置を決定するために、左側垂直方向セグメント鎖（Ｓ１）を構成する電極セグメントグループがアクティブ化されることを特徴とする、請求項１〜１１のうちのいずれか一項に記載のＯＬＥＤインターフェース。
【請求項１３】
接触を伴わない位置または移動検出のために意図された前記スイッチング状態の状況において、Ｘ位置を決定するために、右側垂直方向セグメント鎖（Ｓ９）を構成する電極セグメントグループがアクティブ化されることを特徴とする、請求項１〜９のうちのいずれか一項に記載のＯＬＥＤインターフェース。
【請求項１４】
接触を伴わない位置または移動検出のために意図された前記スイッチング状態の状況において、ＸおよびＹ位置を決定するために、相互に横断するように向けられた、特に相互に対して垂直に向けられた電極セグメントグループから導出されるレベル値が、使用されることを特徴とする、請求項１〜１３のうちのいずれか一項に記載のＯＬＥＤインターフェース。
【請求項１５】
非タッチモードにおける前記指の位置の検出のために使用される前記電極セグメントグループ（Ｚ１...Ｚ５；Ｓ１...Ｓ９）は、連続する行または連続する列の様式におけるそれぞれのアクティブ電極セグメントグループ（Ｚ１...Ｚ５；Ｓ１...Ｓ９）が、前記インターフェースを横断して遷移するように適応的に入れ替えられる、例えば、連続的に入れ替えられることを特徴とする、請求項１〜１４のうちのいずれか一項に記載のＯＬＥＤインターフェース。
【請求項１６】
接触を伴わない位置または移動検出のために意図された前記スイッチング状態の状況において、いずれの場合も、２つの電極セグメントグループが形成されること、およびこれらの２つの電極セグメントグループの容量結合が検出され、前記接近状態がこの容量結合から決定されることを特徴とする、請求項１〜１５のうちのいずれか一項に記載のＯＬＥＤインターフェース。
【請求項１７】
ＯＬＥＤインターフェースであって、該インターフェースは、
支持層（１）と、
該支持層（１）に接続された電極層と、
ＯＬＥＤ機能層（Ｏ）と、
解釈回路（１０）と
を備え、
該電極層は、複数の電極セグメント（２）に細分割され、これらの電極セグメント（２）は、これにより、セグメント行およびセグメント列を備えるセグメントアレイを形成し、
該解釈回路（１０）は、
それが、該電極層の該電極セグメント（２）を介して接触検出が実施される回路状態を取得することと、
それが、該ユーザの指の非接触位置または移動検出が該ＯＬＥＤインターフェースの前方の領域の中で実施され得る回路状態を取得することと
を行い得るように形成され、
該非接触位置または移動検出は、該セグメントアレイのいくつかの電極セグメント（２）を、行または列の電極セグメントグループ（Ｚ１...Ｚ５；Ｓ１...Ｓ９）に統合することを介して実施される、ＯＬＥＤインターフェース。
【請求項１８】
タッチパッド構成要素上でのユーザの指の移動と関連した入力信号を生成するための方法であって、このタッチパッド構成要素は、ＯＬＥＤ層構造と、支持層と、該支持層に接続された電極層とを備え、この電極層は、複数の電極セグメントに細分割され、これらの電極セグメントは、これにより、セグメント行およびセグメント列を備えるセグメントアレイを形成し、該セグメント行およびセグメント列を介して検出される信号の解釈は、それが、それにより、該電極層の該電極セグメントを介して接触検出が実施される回路状態を取得し得、および該ユーザの指の非接触位置または移動検出が該タッチパッド構成要素の前方の領域の中で実施され得るさらなる回路状態を取得し得るように形成された解釈回路によって実施され、該非接触位置または移動検出は、該セグメントアレイのいくつかの電極セグメントを、行または列の電極セグメントグループに統合することを介して実施される、方法。
【手続補正２】
【補正対象書類名】明細書
【補正対象項目名】００３５
【補正方法】変更
【補正の内容】
【００３５】
さらなる解決策の概念によると、本発明はまた、バックライト付きタッチパッド構成要素に関する。これは、支持層と、ＯＬＥＤ構造と、支持層に接続される電極層とを備える。電極層は、複数の電極セグメントに細分割され、これらの電極セグメントは、セグメント行およびセグメント列を備えるセグメントアレイを形成する。ＯＬＥＤ構造によって照明されるタッチパッド構成要素は、接触検出が電極層の電極セグメントによって実施される回路状態を取得し得るように設計される解釈回路をさらに備える。加えて、解釈回路は、ユーザの指の非接触位置または移動検出が、タッチパッド構成要素の前方の領域の中で実施され得る回路状態を取得することを可能にする。非接触位置または移動検出は、行または列の電極セグメントグループへのセグメントアレイのいくつかの電極セグメントの統合において実施される。このタッチパッド構成要素構造は、ディスプレイデバイスに関して前述されたように設計されてもよい。このタッチパッド構成要素は、非接触位置検出をさらに可能にするタッチパッドを実現するために使用されてもよい。そのようなタッチパッドは、例えば、ノートブックの中の、これまでの従来のタッチパッドのための一体化場所において一体化されてもよい。タッチモードにおいて、および非タッチモードにおいても、指位置の統合された検出をするための本発明による構造はまた、他のデバイス、特に、家具および車両内部に一体化されてもよく、その結果、空間的に制限された領域の中のこのような場所に、それぞれの入力域、すなわち、非タッチ相互作用も可能にする入力域を実現する。
本願明細書は、例えば、以下の項目も提供する。
（項目１）
ＯＬＥＤインターフェースであって、該インターフェースは、
パネル層と、
アノード電極層と、
カソード電極層と、
該アノード電極層と該カソード電極層との間に配列された有機発光層構造と、
解釈回路と
を備え、
該解釈回路は、少なくとも該アノード電極層および／または該カソード電極層との相互作用において、ユーザが該ＯＬＥＤインターフェースもしくはそれを被覆するパネル要素にタッチすることなしに、またはタッチする前に、該パネル層の前方の領域の中の該ユーザの指または手を検出するためのセンサシステムが実現されるように、設計および接続される、ＯＬＥＤインターフェース。
（項目２）
前記位置検出は、電圧レベルの解釈によって実施され、これらの電圧レベルは、前記電極層（Ａ、Ｋ）のうちの一方とセンサ電極デバイス（ＥＬ）との間で測定されることを特徴とする、項目１に記載のＯＬＥＤインターフェース。
（項目３）
前記位置検出は、電圧レベルの解釈によって実施され、これらの電圧レベルは、前記アノード電極層（Ａ）とセンサ電極デバイス（ＥＬ、２）との間で測定されることを特徴とする、項目１に記載のＯＬＥＤインターフェース。
（項目４）
ＯＬＥＤインターフェースであって、該インターフェースは、
パネル層（１）と、
ＯＬＥＤ層構造（Ｏ）と、
該パネル層（１）に接続された透明電極層であって、この電極層は、複数の電極セグメント（２）に細分割され、これらの電極セグメント（２）は、これにより、セグメント行およびセグメント列を備えるセグメントアレイを形成する、透明電極層と、
ユーザの指の非接触位置または移動検出が、該パネル層の前方の領域の中において実施され得るように形成された解釈回路（１０）と
を備え、
該非接触位置または移動検出は、該セグメントアレイのいくつかの電極セグメント（２）の、行または列の電極セグメントグループ（Ｚ１...Ｚ５；Ｓ１...Ｓ９）への統合を使用して実施される、ＯＬＥＤインターフェース。
（項目５）
前記解釈回路（１０）は、接触検出が前記電極層の前記電極セグメント（２）を介して実施されている回路状態を取得し得るように形成されることを特徴とする、項目４に記載のＯＬＥＤインターフェース。
（項目６）
接触時の位置検出のための前記回路状態と接触を伴わない位置または移動検出のためのスイッチング状態との間の切替が、マルチプレクサデバイスによって実施されることを特徴とする、項目５に記載のＯＬＥＤインターフェース。
（項目７）
接触を伴わない位置または移動検出のための動作状態を取得するためのサイクルの部分は、接触が検出される限り、ゼロに設定されるか、または低減されることを特徴とする、項目６に記載のＯＬＥＤインターフェース。
（項目８）
位置検出のための前記動作状態を取得するための前記サイクルの部分は、接触が検出されない限り、前記インターフェースへの接触時に低減されることを特徴とする、項目６または７に記載のＯＬＥＤインターフェース。
（項目９）
最初に、接触を伴わない位置または移動検出のために意図された前記スイッチング状態の状況において、粗い接近検出が実施され、十分に顕著な接近状態の検出時にのみ、より感度の高い位置検出が実施されることを特徴とする、項目１〜８のうちのいずれか一項に記載のＯＬＥＤインターフェース。
（項目１０）
接触を伴わない位置または移動検出のために意図された前記スイッチング状態の状況において、可変の電極セグメントグループが、センサ電極として作用することを特徴とする、項目１〜９のうちのいずれか一項に記載のＯＬＥＤインターフェース。
（項目１１）
接触を伴わない位置または移動検出のために意図された前記スイッチング状態の状況において、Ｙ位置を決定するために、上側水平方向セグメント鎖を構成する電極セグメントグループ（Ｚ１）がアクティブ化され、および／または接触を伴わない位置または移動検出のために意図された該スイッチング状態の状況において、Ｙ位置を決定するために、下側水平方向セグメント鎖を構成する電極セグメントグループ（Ｚ５）がアクティブ化されることを特徴とする、項目１〜１０のうちのいずれか一項に記載のＯＬＥＤインターフェース。
（項目１２）
接触を伴わない位置または移動検出のために意図された前記スイッチング状態の状況において、Ｘ位置を決定するために、左側垂直方向セグメント鎖（Ｓ１）を構成する電極セグメントグループがアクティブ化されることを特徴とする、項目１〜１１のうちのいずれか一項に記載のＯＬＥＤインターフェース。
（項目１３）
接触を伴わない位置または移動検出のために意図された前記スイッチング状態の状況において、Ｘ位置を決定するために、右側垂直方向セグメント鎖（Ｓ９）を構成する電極セグメントグループがアクティブ化されることを特徴とする、項目１〜９のうちのいずれか一項に記載のＯＬＥＤインターフェース。
（項目１４）
接触を伴わない位置または移動検出のために意図された前記スイッチング状態の状況において、ＸおよびＹ位置を決定するために、相互に横断するように向けられた、特に相互に対して垂直に向けられた電極セグメントグループから導出されるレベル値が、使用されることを特徴とする、項目１〜１３のうちのいずれか一項に記載のＯＬＥＤインターフェース。
（項目１５）
非タッチモードにおける前記指の位置の検出のために使用される前記電極セグメントグループ（Ｚ１...Ｚ５；Ｓ１...Ｓ９）は、連続する行または連続する列の様式におけるそれぞれのアクティブ電極セグメントグループ（Ｚ１...Ｚ５；Ｓ１...Ｓ９）が、前記インターフェースを横断して遷移するように適応的に入れ替えられる、例えば、連続的に入れ替えられることを特徴とする、項目１〜１４のうちのいずれか一項に記載のディスプレイデバイス。
（項目１６）
接触を伴わない位置または移動検出のために意図された前記スイッチング状態の状況において、いずれの場合も、２つの電極セグメントグループが形成されること、およびこれらの２つの電極セグメントグループの容量結合が検出され、前記接近状態がこの容量結合から決定されることを特徴とする、項目１〜１５のうちのいずれか一項に記載のディスプレイデバイス。
（項目１７）
ＯＬＥＤインターフェースであって、該インターフェースは、
支持層（１）と、
該支持層（１）に接続された電極層と、
ＯＬＥＤ機能層（Ｏ）と、
解釈回路（１０）と
を備え、
該電極層は、複数の電極セグメント（２）に細分割され、これらの電極セグメント（２）は、これにより、セグメント行およびセグメント列を備えるセグメントアレイを形成し、
該解釈回路（１０）は、
それが、該電極層の該電極セグメント（２）を介して接触検出が実施される回路状態を取得することと、
それが、該ユーザの指の非接触位置または移動検出が該ＯＬＥＤインターフェースの前方の領域の中で実施され得る回路状態を取得することと
を行い得るように形成され、
該非接触位置または移動検出は、該セグメントアレイのいくつかの電極セグメント（２）を、行または列の電極セグメントグループ（Ｚ１...Ｚ５；Ｓ１...Ｓ９）に統合することを介して実施される、ＯＬＥＤインターフェース。
（項目１８）
タッチパッド構成要素上でのユーザの指の移動と関連した入力信号を生成するための方法であって、このタッチパッド構成要素は、ＯＬＥＤ層構造と、支持層と、該支持層に接続された電極層とを備え、この電極層は、複数の電極セグメントに細分割され、これらの電極セグメントは、これにより、セグメント行およびセグメント列を備えるセグメントアレイを形成し、該セグメント行およびセグメント列を介して検出される信号の解釈は、それが、それにより、該電極層の該電極セグメントを介して接触検出が実施される回路状態を取得し得、および該ユーザの指の非接触位置または移動検出が該タッチパッド構成要素の前方の領域の中で実施され得るさらなる回路状態を取得し得るように形成された解釈回路によって実施され、該非接触位置または移動検出は、該セグメントアレイのいくつかの電極セグメントを、行または列の電極セグメントグループに統合することを介して実施される、方法。